(57)【要約】【課題】雑菌等を除去するシート状の濾過膜を効率よく用いた濾過体及び浄水器を提供する。【解決手段】流体を濾過するための濾過体であって、「凹凸部を有し、流体を濾過する濾過膜」と、「濾過膜を円柱状又は角柱世に支持する支持骨格」と、を備える濾過体。【選択図】図１
2011078967.tif 000002
【特許請求の範囲】
【請求項１】
流体を濾過するための濾過体であって、
凹凸部を有し、流体を濾過する濾過膜と、
前記濾過膜を円柱状又は角柱状に支持する支持骨格と、を備える濾過体。
【請求項２】
流体を濾過するための濾過体であって、
流体を濾過する濾過膜と、
前記濾過膜を、柱状に、かつ軸方向に延びる凹状の溝を有するよう、支持する支持骨格と、を備える濾過体。
【請求項３】
前記濾過膜に沿って配置される、濾過体の形状を維持するためのメッシュ状の形状維持シートをさらに備え、
前記凹凸部は、前記濾過体の内側に突出する棒状突起であり、
前記棒状突起は、前記形状維持シートによって形状が支持されている、請求項１に記載の濾過体。
【請求項４】
請求項１〜３のいずれかに記載の濾過体と、
前記濾過体を収容する中空のケーシングであって、前記ケーシング内に流体を流入させるための流入口、及び前記ケーシングから流体を流出させるための流出口が形成されている前記ケーシングと、を備える浄水器。
【請求項５】
前記棒状突起は、前記ケーシング内を流れる流体の流れ方向に対して垂直に延びるよう形成されている、請求項４に記載の浄水器。
【請求項６】
前記濾過体内を軸方向に延び、内部に流路を有する流体案内部材であって、前記流路内に流体を導く導入孔が前記棒状突起と対向する位置に形成されている前記流体案内部材をさらに備える、請求項５に記載の浄水器。
【請求項７】
内部が前記ケーシングの流出口と連通するよう前記ケーシング内に設置される紫外線照射室と、
流体及び空気を通過させるための孔が形成されており、前記紫外線照射室内を上流側と下流側とに仕切るよう配置され、円錐状又は角錐状の紫外線反射面が上流側に形成されている誘導板と、
前記紫外線反射面と対向するよう前記紫外線照射室内に配置された、紫外線を照射する紫外線光源と、をさらに備え、
前記流体案内部材は、一方端部が前記紫外線反射面と対向するよう前記紫外線照射室内に挿入されており、
前記紫外線反射面は、前記流体案内部材内に紫外線が入らないよう前記紫外線光源から照射された紫外線を反射する、請求項６に記載の浄水器。
【請求項８】
前記棒状突起は、前記ケーシング内を流れる流体の流れ方向に対して平行に延びるよう形成されている、請求項４に記載の浄水器。
【請求項９】
前記ケーシングは、流体を排出するための第１の排出口が底面に形成され、前記第１の排出口に流体を排出するための流体排出装置が設置されており、
前記流体排出装置は、
前記ケーシングの内側において前記第１の排出口を囲うように設置され、上端及び側面が開口している第１の収容部と、
前記ケーシングの外側において前記第１の排出口を囲うように設置され、下端が開口している第２の収容部と、
前記ケーシングの第１の排出口を封鎖可能な栓部材であって、前記第１の収容部内において前記第１の排出口から離間するよう配置され、前記第１の収容部の内側面を摺動可能な前記栓部材と、
前記第２の収容部内に配置され、前記ケーシングの第１の排出口を介して前記栓部材に連結された補助部材と、
前記第２の収容部内を上下に仕切るよう配置され、流体を排出するための第２の排出口が形成された第１の弁座部材と、
前記第２の収容部内において、前記第１の弁座部材の下面側から前記第２の排出口を封鎖するよう配置され、下方向に移動可能な第１の弁部材と、を有し、
前記栓部材は、前記ケーシング内への流体の流入を開始すると流体に押し下げられて前記ケーシングの第１の排出口を封鎖し、前記ケーシング内への流体の流入を停止すると上昇して前記第１の排出口が開放し、
前記第１の弁部材は、前記ケーシング内への流体の流入を停止すると前記開放された第１の排出口より排出された流体に押し下げられて前記第１の弁座部材の第２の排出口を開放し、前記ケーシング内の流体の排出が終了すると前記第１の弁座部材の第２の排出口を封鎖する、請求項４〜８のいずれかに記載の浄水器。
【請求項１０】
前記栓部材及び前記ケーシングの第１の排出口の周囲は、磁石を含んでおり、
前記栓部材は、前記磁石が反発することにより前記第１の排出口から離間するよう配置されている、請求項９に記載の浄水器。
【請求項１１】
前記栓部材及び前記第１の収容部の上端部は、磁石を含んでおり、
前記栓部材は、前記磁石が引き合うことにより前記第１の排出口から離間するよう配置されている、請求項９に記載の浄水器。
【請求項１２】
前記ケーシングの流出口に接続された流体を吐出するための吐水管と、
前記吐水管内又は前記ケーシングの流出口の内側に設置された封鎖弁機構と、をさらに備え、
前記封鎖弁機構は、
流体の流れを上流側と下流側とに隔てるように設置され、流体を通過させるための第１の通過口が形成されている仕切部と、
下流側を向いた前記仕切部の一方面において前記第１の通過口を囲うように設置され、側面が開口している第３の収容部と、
前記第３の収容部の内側面を摺動する可動部と、を有し、
前記可動部は、
流体が通過するための第２の通過口が形成され、前記第３の収容部内において前記仕切部の一方面上に配置され、前記第３の収容部の内側面を摺動可能な摺動部材と、
一方端が前記摺動部材に接続され、前記仕切部の第１の通過口を介して上流側へと延び、前記第１の通過口の内径より外径が小さく形成された筒状部材と、
前記筒状部材の他方端からさらに上流側へと延び、前記第１の通過口の内径より外径が小さく形成され、側面が開口している収容部材と、
前記収容部材内に移動可能に配置された第２の弁部材と、
流体を通過させるための第３の通過口が形成され、前記第２の弁部材の下流側への移動を制御する第２の弁座部材と、を有し、
前記第２の弁部材は、前記ケーシング内からの流体の排出を開始すると前記ケーシング内に生じた負圧により上流側に引っ張られて前記第２の弁座部材の第３の通過口を開放し、前記ケーシング内からの流体の排出が終了すると前記第３の通過口を封鎖する、請求項４〜１１のいずれかに記載の浄水器。
【請求項１３】
前記第２の弁部材及び前記収容部材の下端は、磁石を含んでおり、
前記第２の弁部材は、前記磁石が反発することにより前記第２の弁座部材の第３の通過口を封鎖するよう配置されている、請求項１２に記載の浄水器。
【請求項１４】
前記第２の弁部材及び前記第２の弁座部材は、磁石を含んでおり、
前記第２の弁部材は、前記磁石が引き合うことにより前記第２の弁座部材の第３の通過口を封鎖するよう配置されている、請求項１２に記載の浄水器。
【発明の詳細な説明】
【技術分野】
【０００１】
本発明は、濾過体及びこれを用いた浄水器に関するものである。
【背景技術】
【０００２】
水道水等の流体を浄化する浄水器は、ケーシング内に濾過膜を収容し、この濾過膜によって水を浄化する構造となっている。上記のような浄水器における濾過膜としては、中空糸膜が広く用いられており、この中空糸膜は、一般に、U宇状に折り曲げられ両端が開口した構造となっている（例えば、特許文献１参照）。上記浄水器を使用する場合、濾過する流体を浄水器内に供給すると流体が中空糸膜内へと浸透し、これにより、流体に含まれていた雑菌等が除去される。そして、この流体が中空糸膜内を通って中空糸膜の両端より流出することにより、浄化された流体が得られるようになっている。
【先行技術文献】
【特許文献】
【０００３】
【特許文献１】特開２００６−６８６９５号公報
【発明の概要】
【発明が解決しようとする課題】
【０００４】
ところで、中空糸膜に代わる新しい濾過膜として、例えば多孔性ナノシートといったようなシート状の濾過膜が提案されている。しかしながら、上述したような浄水器の構造は、中空糸膜のようにストロー状の濾過膜を前提としたものであってシート状の濾過膜には適しておらず、また、雑菌等を除去するシート状の濾過膜に適した構造の有効な浄水器は提案されていない。
【０００５】
そこで、本発明は、雑菌等を除去するシート状の濾過膜を効率よく用いた濾過体及び浄水器を提供することを課題とする。
【課題を解決するための手段】
【０００６】
本発明に係る濾過体は、上記課題を解決するためになされたものであり、流体を濾過するための濾過体であって、「凹凸部を有し、流体を濾過する濾過膜」と、「前記濾過膜を円柱伏又は角柱状に支持する支持骨格」と、を備えている。
【０００７】
本発明に係る濾過体は、濾過膜により流体を濾過するが、この濾過膜が凹凸部を有することで濾過面積が拡大されており高い濾過能力を有している。これにより、濾過膜が凹凸部を有しない場合と比較して、流体の流量が同じであれば、濾過膜の目詰まりを軽減することができ、さらに濾過体のコンパクト化を図ることもできる。なお、角柱状とは、例えば、四角柱や五角柱といった多角柱、平面視星形のもの等、種々の形状を含む概念である。
【０００８】
また、本発明に係る濾過体は、濾過膜が軸方向に延びる凹状の溝を有するよう、支持骨格によって支持されていてもよい。この構成によっても、凹状の溝によって濾過面積が拡大され、濾過能力を高めることができる。
【０００９】
上述した濾過膜の凹凸部は、濾過体の内側に突出する棒状突起であり、この棒状突起は濾過膜に沿って配置されたメッシュ状の形状維持シートによって形状が支持されていてもよい。
【００１０】
また、流入口及び流出口を有する中空のケーシング内に上記濾過体を収容し、浄水器とすることもできる。この浄水器を使用する場合、流入口からケーシング内に流体を流入させ、濾過体によって流体を濾過した後、流体を流出口からケーシングの外へ流出させる。これにより、浄化された流体を得ることができる。
【００１１】
上記浄水器において、棒伏突起はケーシング内を流れる流体の流れ方向に対して垂直に延びるよう形成されていてもよい。
【００１２】
棒状突起が流体の流れ方向に対して垂直に形成されている場合、濾過体内を軸方向に延びる流体案内部材をさらに備えていることが望ましい。この流体案内部材は、内部に流路を有しており、濾過膜の棒伏突起と対向する位置に流路内に流体を導くための導入孔が形成されている。この構成によれば、濾過体内に入った流体が導入孔へ導かれることで棒状突起と平行な流体の流れが生じ、この流れによって棒状突起は真っ直ぐになるよう引っ張られる。これにより、濾過膜において棒状突起同士の接触を防止することができ、濾過膜を効率よく利用することができる。さらに、一旦濾過膜を通過して濾過された流体が隣接
する棒状突起を通過して再濾過されるのを防止することができ、流体を効率的に濾過することができる。
【００１３】
また、棒状突起が流体の流れ方向に対して垂直に形成されている場合、浄水器の形態が筒型では、棒状突起の突起距離が比較的短く、形状維持シートがある状態では特に棒状突起形状が安定し、排水時の濾過堆積物の離脱、排出の効率がよく、濾過膜の寿命を効率よく延ばすことができる。
【００１４】
上記流体案内部材を備えている等、ケーシング内に濾過後の空間部がある場合、流出口からケーシング内に入る流体及び空気に対して紫外線を照射し殺菌するために、流出口と連通する紫外線照射室がケーシング内に設置されていることが好ましい。紫外線は、誘導板上流側の紫外線反射面によっても反射されるが、紫外線反射面が円錐状または角錐状に形成されていることで流体案内部材内等、濾過後の空間部に入らないようになっている。これにより、流体案内部材等、濾過後の空間部を介して濾過膜に紫外線が照射されるのを防止することができ、この結果、濾過膜が劣化するのを防止することができる。また、濾過膜から流体案内部材の流路を通過し、紫外線照射室に入る流体に対しても紫外線を照射し殺菌することが可能である。ただし、正常であれば濾過膜により細菌やウイルス等は完全に除去されている。なお、本発明において、上流とはケーシングの流入口に近い方、下流とは流入口から遠い方をいう。
【００１５】
また、上記浄水器において、棒状突起はケーシング内を流れる流体の流れ方向に対して平行に延びるよう形成されていてもよい。
【００１６】
上記浄水器は、流体を排出するための流体排出口がケーシングの底面に形成され、この流体排出口に流体排出装置が設置されていてもよい。この流体排出装置は、ケーシング内に流体を流入させると、流体が第１の収容部内に入って栓部材及び補助部材を下方向に押圧し、栓部材がケーシングの第１の排出口を封鎖する。ケーシング内への流体の流入を停止すると、流体の押圧力が弱くなるため栓部材が元の位置に戻り、第１の排出口が開放される。これにより、ケーシング内の流体が第１の排出口より第２の収容部内へと流入して第１の弁部材を押し下げ、第１の弁座部材の第２の排出口が開放される。そして、流体は
第２の排出口を通過し第２の収容部の下端から排出される。このように、上記流体排出装置によればケーシング内への流体の流入を停止した際にケーシング内から流体を自動的に排出することができる。これにより、ケーシング内において濾過する方向と逆の流れが生じ、濾過膜から濾過堆積物の離脱、排出が生じるため、ケーシングに収容されている濾過体の濾過膜が目詰まりするのを防止することができ、濾過体の寿命を延ばすことができる。流体の排出が終了すると、第１の弁部材は元の位置に戻って再び第１の弁座部材の第２の排出口を封鎖し、これにより、排出された流体の逆流及びケーシング内への空気の侵入
を防止することができる。なお、この流体排出装置は上述したような濾過体と併せて使用しなくてもよく、単独で一般的な浄水器に設置することもできる。
【００１７】
上記流体排出装置は、栓部材及びケーシングの第１の排出口の周囲に磁石を含み、これらの磁石が反発することにより栓部材が第１の排出口から離間するよう配置されていてもよい。
【００１８】
また、上記流体排出装置は、栓部材及び第１の収容部の上端部に磁石を含み、これらの磁石が引き合うことにより栓部材が第１の排出口から離間するよう配置されていてもよい。
【００１９】
上記浄水器は、ケーシングに接続された吐水管内又はケーシングの流出口の内側に設置された封鎖弁機構をさらに備えていてもよい。この封鎖弁機構は、ケーシング内に流体が流入すると、可動部の収容部材内に入った流体が第２の弁部材を下流側に押圧する。これにより、第３の収容部内を可動部の摺動部材が下流側に摺動して仕切部の第１の通過口と筒状部材又は収容部材との間に隙間が生じ、流体がこの隙間を通過する。一方、ケーシング内からの流体の排出を開始すると、ケーシング内において負圧が発生するため第２の弁部材が引っ張られて第２の弁座部材の第３の通過口が開放される。これにより、第３の通
過口からケーシング内に流体及び空気が入るためケーシング内が真空になるのを防止することができ、効率的な排水を促進することができる。流体の排出が終了すると、第２の弁部材は第３の通過口を再び封鎖するため、ケーシング内にそれ以上空気等が入るのを防止することができる。なお、この封鎖弁機構は上述したような濾過体と併せて使用しなくてもよく、単独で一般的な浄水器に設置することもできる。
【００２０】
上記封鎖弁機構は、第２の弁部材及び収容部材の下端部に磁石を含み、これらの磁石が反発することにより第２の弁部材が第２の弁座部材の第３の通過口を封鎖するよう配置されていてもよい。
【００２１】
また、上記封鎖弁機構は、第２の弁部材及び第２の弁座部材に磁石を含み、これらの磁石が引き合うことにより第２の弁部材が第２の弁座部材の第３の通過口を封鎖するよう配置されていてもよい。
【発明の効果】
【００２２】
本発明によれば、濾過体及び浄水器に雑菌等を除去するシート状の濾過膜を効率よく用いることができる。
【図面の簡単な説明】
【００２３】
【図１】本実施形態に係る浄水器の概略正面断面図である。
【図２】本実施形態に係る浄水器の一部である流体排出装置の概略斜視断面図である。
【図３】同流体排出装置の動作を示す概略正面断面図である。
【図４】本実施形態に係る浄水器の一部である封鎖弁機構の概略斜視断面図である。
【図５】同封鎖弁機構の動作を示す概略正面断面図である。
【図６】本実施形態に係る濾過体の一部を示す（ａ）概略平面断面図、及び（ｂ）概略斜視図である。
【図７】本実施形態に係る濾過体のＡ−Ａ断面図である。
【図８】本実施形態の変形例に係る浄水器の一部を示す概略正面断面図である。
【図９】本実施形態の変形例に係る濾過体の一部を示す（ａ）概略平面断面図、及び（ｂ）概略部分断面図である。
【図１０】本実施形態の変形例に係る濾過体の（ａ）概略平面断面図、及び（ｂ）概略部分断面図である。
【図１１】本実施形態に係る浄水器の一部である流体排出装置における逆流防止部の変形例を示す概略構成図である。
【図１２】図１１に示す逆流防止部を有する封鎖弁機構の動作を説明する説明図である。
【図１３】本実施形態に係る浄水器の一部である封鎖弁機構の変形例を示す概略構成図である。
【図１４】図１３に示す封鎖弁機構の動作を説明する説明図である。
【発明を実施するための形態】
【００２４】
以下、本発明に係る濾過体及びその濾過体を用いた浄水器の一実施形態について図面を参照しつつ説明する。
【００２５】
図１に示すように、本実施形態に係る浄水器１は、有底円筒状のケーシング２と、流体を濾過する濾過体３と、流体を案内する流体案内部材４とを備えている。
【００２６】
まず、ケーシング２について説明する。ケーシング２は、上部に開口部２１３を有するケーシング本体２１と、開口部２１３を閉鎖する蓋体２２とを備えている。ケーシング本体２１は濾過体３を収容するための収容部２１１を有しており、この収容部２１１において底面から間隔を開けて濾過体３を載置するためのメッシュ状又は孔を有する板状の載置部材２１２が設置されている。また、ケーシング本体２１の側面下方部にはケーシング２内に流体を流入させるための流入口２３が形成されている。この流入口２３には流体を供給するための流体供給管５が接続されており、流体供給管５の途中には電磁弁６が配設されている。なお、載置部材２１２は、濾過体３に流体が当たって余分な負担がかかるのを防止するため、濾過体３に接触する部分には孔が形成されていないことが好ましい。
【００２７】
また、図１及び図２に示すように、ケーシング本体２１の底面には、ケーシング本体２１の第１の排出口２６から流体を排出するための流体排出装置８が設置されている。この流体排出装置８は、ケーシング本体２１の内側に設置された側面檻状かつ上端が開口している第１の収容部８１、ケーシング本体２１の外側に設置され下端に第３の排出口８２１を有する有底円筒状の第２の収容部８２、及び第２の収容部８２内に設置された側面檻状の内側収容部８３を備えている。これら第１並びに第２の収容部８１、８２、及び内側収容部８３の内部には、ケーシング本体２１内の流体を自動的に排出する自動排出部８４及び排出した流体の逆流を防止する逆流防止部８５が収容されている。
【００２８】
自動排出部８４は、図２及び図３（ａ）に示すように、ケーシング本体２１の内側に配置された円板状の栓部材８４１及びケーシング本体２１の外側に配置された円板状の補助部材８４２を有しており、この栓部材８４１及び補助部材８４２が第１の連結部材８４３で連結された構成となっている。栓部材８４１は、外径がケーシング本体２１の第１の排出口２６の内径よりも大きく形成されており、第１の収容部８１の内側面を摺動可能となっている。図２において一点鎖線で示すように、この栓部材８４１及び第１の排出口２６の周囲には磁石が含まれており、この磁石は栓部材８４１の下面倒と第１の排出口２６の周囲上面側とが同極となっているため、栓部材８４１は磁石の反発力により第１の収容部８１の上端に接触した状態となっている。補助部材８４２は、外径が第１の排出口２６の内径とほぼ同じ大きさに形成されており、内側収容部８３の内側面を摺動可能となっている。
【００２９】
逆流防止部８５は、図２及び図３（ａ）に示すように、第２の収容部８２内において、内側収容部８３の下に設置され第２の排出口８５５が形成された第１の弁座部材８５１、及び底面に設置された第１の環状部材８５２を備えている。これら第１の弁座部材８５１と第１の環状部材８５２との間に第２の連結部材８５３が複数配置されており、第１の弁部材８５４が第２の連結部材８５３に対して摺動可能に配置されている。図２において一点鎖線で示すように、この第１の弁部材８５４及び第１の環状部材８５２には、第１の弁部材８５４の下面側と第１の環状部材８５２の上面側とが同極となる磁石が含まれており、これにより、第１の弁部材８５４は第１の弁座部材８５１の第２の排出口８５５を封鎖した状態となっている。なお、栓部材８４１の上面及び第１の弁部材８５４の下面においては、第１の弁部材８５４の表裏回転や、栓部材８４１及び第１の弁部材８５４の進行方向からのずれを防止するため、周縁部が中央部よりもやや高く形成されていることが好ましい。
【００３０】
蓋体２２は、図１に示すように、ケーシング２から流体を流出させるための流出口２４が形成されており、この流出口２４には流出した流体を蛇口等に導くための吐水管７が挿入され、ナット１０により固定されている。蓋体２２には、流体や空気を紫外線殺菌するための紫外線照射室１１が内蔵されており、紫外線照射室１１の上方には流体の双方向の流れを制御可能な封鎖弁機構９が設置されている。
【００３１】
紫外線照射室１１は、図１に示すように、底部に複数の紫外線ＬＥＤ（紫外線光源）１１１が敷き詰められている。この紫外線ＬＥＤの上方には、紫外線透過性アクリル樹脂又はガラス等から構成される紫外線透過板１１２が紫外線照射室１１の端部から中心部に向かって下向きに緩やかに傾斜するよう設置されている。紫外線照射室１１は、上部に円錐筒状の第１の紫外線反射面１１３が設置されており、中間部には流体や空気を誘導するための誘導板１１４が設置されている。誘導板１１４は、上面中央部（下流側）に平面状又は緩やかな円錐状若しくは角錐状の第２の紫外線反射面１１５が形成され、下面中央部（上流側）には円錐状又は角錐状の第３の紫外線反射面１１６が形成されている。また、誘導板１１４において第２及び第３の紫外線反射面１１５、１１６の周囲には流体を通過させるための孔（好ましくは直径２〜３ｍｍ程度）が複数形成されている。上記第１〜第３の紫外線反射面１１３、１１５、１
１６は、紫外線ＬＥＤ１１１で照射された紫外線を反射可能なよう、例えば、ステンレス等による鏡面仕上げやクロムメッキが施されている。なお、紫外線照射室１１の高さは実寸で３０〜５０ｍｍ程度が好ましく、紫外線透過板１１２と誘導板１１４との距離は紫外線の殺菌効果を高めるという観点から実寸で１０ｍｍ以内が好ましい。紫外線ＬＥＤ１１１の電源としては、例えば、リチウム電池や、ソーラーパネル充電池、ＡＣアダプタ及び充電池を有する一般家庭用ＡＣ電源等を使用することができる。紫外線光源は、例えば、紫外線ランプ（低圧水銀殺菌灯）等でもよい。
【００３２】
封鎖弁機構９は、図４及び図５（ａ）に示すように、ケーシング２の流出口２４内を上下に仕切り第１の通過口９１１が形成されている仕切部９１と、この仕切部９１の周縁部から下方に延びる円筒部９４とを備えている。封鎖弁機構９は、円筒部９４の周囲にＯリング（図示省略）が装着された状態で流出口２４の内側に嵌め込まれる。封鎖弁機構９は、仕切部９１の上側に形成された側面檻状の第３の収容部９２、及び第３の収容部９２内を摺動する可動部９３を有している。第３の収容部９２は、上部に内向きのフランジが形成され、上端が開口している。可動部９３は、仕切部９１の上側に第２の通過口９３７が形成された摺動部材９３１を備えており、摺動部材９３１は外径が仕切部９１の第１の通過口９１１の内径よりも大きくなるよう形成されている。この摺動部材９３１及び第３の収容部９２の上端部には互いに反発するように磁石が含まれており、これにより、摺動部材９３１は仕切部９１に接触するよう配置されている。また、可動部９３は、第１の通過口９１１を介して摺動部材９３１の下方に延びる筒状部材９３２、及びこの筒状部材９３２の下方に延びる側面檻状の収容部材９３３を備えている。筒伏部材９３２の下端部には第３の通過口９３８が形成された第２の弁座部材９３４が取り付けられており、収容部材９３３の下端部には第２の環状部材９３５が取り付けられている。そして、第２の弁座部材９３４と第２の環状部材９３５との間には、収容部材９３３内を摺動可能な第２の弁部材９３６が配置されている。この第２の弁部材９３６及び第２の環状部材９３５には互いに反発するように磁石が含まれており、これにより、第２の弁部材９３６が第２の弁座部材９３４の第３の通過口９３８を封鎖した状態となっている。なお、摺動部材９３１の上面及び第２の弁部材９３６の下面においては、第２の弁部材９３６の表裏回転や、摺動部材９３１及び第２の弁部材９３６の進行方向からのずれを防止するため、周縁部が中央部よりもやや高く形成されていることが好ましい。
【００３３】
次に、濾過体３について説明する。濾過体３は、図６及び図７に示すように、支持骨格３１及び濾過膜３２を備えている。図６に示すように、支持骨格３１は天板３１１及び底板３１２を有しており、この天板３１１及び底板３１２は等間隔に配置された複数本の支柱３１３により連結されている。そして、図７に示すように、これらの支柱３１３を取り囲むようにメッシュシート（形状維持シート）３１４が配置されており、このメッシュシート３１４は、上端部及び下端部がそれぞれ天板３１１及び底板３１２に接着され、側面に濾過体３の中心軸に向かって水平に延びる棒状突起３１４１が形成されている。濾過膜３２は、上記のような支持骨格３１の支柱３１３とメッシュシート３１４との間に配置され、棒状突起３２１が形成されており、この棒状突起３２１はメッシュシート３１４の棒状突起３１４１により形状が支持されている。なお、濾過膜３２は、濾過能力の観点から、地質が例えば波伏や半球状等の細かい凹凸を有していることが好ましく、棒状突起３２１が円錐状に形成されていることが好ましい。濾過膜３２としては、例えば、極細の無機ファイバーを利用した、３０〜１００ナノメートル（ｎｍ）の薄さのタンパク質の自立腹が挙げられる。この自立腹の内部には、直径約２ナノメートル（ｎｍ）の流体の通路が無数に形成されている。
【００３４】
上記のように構成された濾過体３は、図１に示すようにケーシング２内に収容される。すなわち、濾過体３は、ケーシング２の開口部２１３から収容部２１１に挿入され、載置部材２１２に載置される。
【００３５】
続いて、流体案内部材４について説明する。図１に示すように、流体案内部材４は、濾過体３の中心軸に沿って延びるようケーシング２内に設置されており、上端部が天板３１１を貫通して紫外線照射室１１内に挿入されている。流体案内部材４は、軸方向に延びる流路４１を内部に有し、側面には流路４１内に流体を導くための導入孔４２が複数形成されており、これら複数の導入孔４２の位置はそれぞれ濾過体３の棒状突起３２１の位置に対応している。なお、導入孔４２の大きさとしては直径５〜６ｍｍが好ましく、導入孔４２と棒状突起３２１の先端との距離は５ｍｍ程度であることが好ましい。
【００３６】
次に、上述したような構成の浄水器１の使用方法について説明する。
【００３７】
まず、電磁弁６を開き、処理する流体を流体供給管５及び流入口２３を介してケーシング２の収容部２１１に流入させる。収容部２１１に流入した流体は、メッシュ状の載置部材２１２を通過して収容部２１１を上方に向かって流れていき、濾過体３内に流入する。このとき、流体は濾過体３のメッシュシート３１４を通過し、これにより、流体に含まれる直径１ｍｍ以上の粗ごみが除去される。そして、粗ごみが除去された流体は濾過膜３２を通過し、これにより、流体に含まれていた細菌やウイルス等微細な異物が除去されて流体が浄化される。なお、ケーシング本体２１の第１の排出口２６は、ケーシング２に流入した流体が流体排出装置８の栓部材８４１を磁石の反発力に抗して押し下げるとともに補助部材８４２を押し下げるため、栓部材８４１によって封鎖される（図３（ｂ））。このように、流体排出装置８は、補助部材８４２が流体によって押されることにより、ケーシング２内が低水圧であっても初期作動がスムーズであり、ケーシング本体２の第１の排出口２６を確実に封鎖することができる。
【００３８】
このようにして濾過体３内に流入した流体は、流体案内部材４の導入孔４２から流路４１内に導かれる。このとき、濾過体３内において棒状突起３２１から導入孔４２に向かう流体の流れが生じるため、棒状突起３２１は水平方向に引っ張られ、真っ直ぐな状態を維持している。そして、流路４１内に導かれた流体は、流路４１を上方に向かって流れて紫外線照射室１１内へと流入し、紫外線ＬＥＤ１１１で照射された紫外線により殺菌されながら、誘導板１１４の孔を通過し流出口２４より流出する。その後、流体は、流出口２４上方の封鎖弁機構９の摺動部材９３１及び第２の弁部材９３６を押すことで可動部９３を押し上げる（図５（ｂ））。これにより、仕切部９１の第１の通過口９１１及び可動部９３の間に隙間が生じ、流体はこの隙間等から第３の収容部９２の側面を通過し、吐水管７を通って流出する。
【００３９】
ケーシング２内への流体の流入を停止すると、流体排出装置８及び封鎖弁機構９は以下のように作動する。すなわち、流体排出装置８は、図３（ｃ）に示すように、ケーシング２内の流体が栓部材８４１を押す力が小さくなることにより、磁石の反発力に従って栓部材８４１が上方へと移動する。これにより、第１の排出口２６が開放され、ケーシング２内の流体が第１の排出口２６より排出される。第１の排出口２６より排出された流体は、第２の収容部８２と内側収容部８３との間を通過し、第１の弁座部材８５１の第２の排出口８５５を介して第１の弁部材８５４を磁石の反発力に抗して押し下げる。そして、流体は第２の収容部８２と第２の連結部材８５３との間を通過し、さらに第１の環状部材８５２の内側を通って第３の排出口８２１より排出される。一方、封鎖弁機構９は、図５（ｃ）に示すように、ケーシング２内の流体が可動部９３を押す力が弱まることで可動部９３が下方へと移動するとともに、流体排出装置８が流体を排出し始めたことでケーシング２内において発生した負圧により、第２の弁部材９３６が下側へと引っ張られて第２の弁座部材９３４の第３の通過口９３８が開放される。これにより、吐水管７に残留していた流体が摺動部材９３１の第２の通過口９３７、第２の弁座部材９３４の第３の通過口９３８、及び収容部材９３３を通過してケーシング２内へと引き戻された後、吐水管７より空気がケーシング２内に入る。このとき、流体及び空気は紫外線照射室１１を通過するため、紫外線ＬＥＤ１１１より照射された紫外線、及び第１〜第３の紫外線反射面１１３、１１５、１１６により反射された紫外線により殺菌される。なお、流体及び空気は、誘導板１１４の端部に孔が形成されていることで第２の紫外線反射面１１５においては紫外線照射室１１の中心部から端部へと誘導され、また、紫外線透過板１１２上面においては紫外線照射室１１の端部から中心部へと誘導される。このように流体及び空気が誘導されることで、流体及び空気に対する紫外線の照射時間を長くし、さらに紫外線ＬＥＤ１１１と流体及び空気との距離が短くすることができ、殺菌効果を高めることができる。そして、流体は、流体案内部材４及び濾過体３を通過した後、流体排出装置８によってケーシング２の外へ排出される。ケーシング２内の流体が十分に排出されると、流体排出装置８の第１の弁部材８５４は、磁石の反発力に従って上昇し、第３の排出口８２１より排出された流体が逆流しないよう第１の弁座部材８５１の第２の排出口８５５を封鎖する（図３（ａ））。また、封鎖弁機構９の第２の弁部材９３６は、磁石の反発力に従って上昇し、吐水管７より異物が侵入しないよう、またケーシング２内にさらに空気が入らないよう第２の弁座部材９３４の第３の通過口９３８を封鎖する（図５（ａ））。なお、紫外線ＬＥＤ１１１は、排水終了後約２〜３分で照射を終了することが好ましく、さらに、浄水器を使用していないときにおいても定期的に一定時間（例えば１時間毎に５分間等）、照射するよう構成されていてもよい。
【００４０】
以上のように、本実施形態に係る浄水器１は、濾過膜３２が棒状突起３２１を有しているため、濾過面積が拡大されており、高い濾過能力を有している。これにより、濾過膜３２が目詰まりするのを防止することができ、濾過体３及び浄水器１のコンパクト化を図ることもできる。また、上記浄水器１は、流体案内部材４の導入孔４２が棒状突起３２１と対応する位置にあることにより、棒状突起３２１を水平に引っ張るような流体の流れが生じるため、棒状突起３２１同士が接触せず、濾過膜３２を有効に利用することができ、一旦濾過膜３２を通過した流体が上方へ流れて隣接する棒状突起３２１を通過し再濾過されるのを防止することもできる。また、上記実施形態に係る浄水器１は、流体排出装置８及び封鎖弁機構９を兼ね備えていることにより、ケーシング２内及び吐水管７内に残留した流体を効果的に排出することができ、この結果、濾過膜３２の目詰まりを防止して濾過体３の寿命を延ばすことができる。
【００４１】
以上、本発明の一実施形態について説明したが、本発明はこれらに限定されるものではなく、本発明の趣旨を逸脱しない限りにおいて種々の変更が可能である。例えば、上記実施形態の浄水器１では、濾過膜３２を有する濾過体３のみを用いていたが、これに限定されず、活性炭を充填した濾過体を併せて用いてもよい。
【００４２】
また、上記実施形態において、濾過体３は円柱状に形成されていたが、これに限定されず、例えば、多角柱状、平面視星形の柱状等、種々の形伏に形成することができる。
【００４３】
また、上記実施形態において、流体排出装置８の栓部材８４１及び第１の弁部材８５４、封鎖弁機構９の摺動部材９３１及び第２の弁部材９３６は磁石の反発力を利用して所定の位置に配置されていたが、これに限定されず、相手方の磁石の配置を変えることで磁石の吸引力を利用して所定の位置に配置されるように構成してもよい。すなわち、流体排出装置８において、第１の排出口２６の周囲及び第１の環状部材８５２の代わりに第１の収容部８１の上端部及び第１の弁座部材８５１に磁石を含み、第１の収容部８１の上端部と栓部材８４１、第１の弁座部材８５１と第１の弁部材８５４とが引き合うよう構成してもよい。また、封鎖弁機構９においては、第３の収容部９２の上端部及び第２の環状部材９３５の代わりに第１の通過口９１１の周囲及び第２の弁座部材９３４に磁石を含み、第１の通過口９１１の周囲と摺動部材９３１、第２の弁座部材９３４と第２の弁部材９３６とが引き合うよう構成してもよい。ただし、流体排出装置８及び封鎖弁機構９の初動をより円滑にするためには磁石の反発力を利用する方が好ましい。
【００４４】
また、流体排出装置８の栓部材８４１及び第１の弁部材８５４は、栓部材８４１とケーシング本体２１の内側における第１の排出口２６の周囲との間、及び第１の弁部材８５４と第１の環状部材８５２との間に、螺旋状のばね等を取り付けることにより、所定の位置に配置してもよい。同様に、封鎖弁機構９において、摺動部材９３１と第３の収容部９２の上端部との間、及び第２の弁部材９３６と第２の環状部材９３５との間に螺旋状のばね等を取り付けてもよい。
【００４５】
また、上記実施形態において、流体排出装置８や封鎖弁機構９において筒状の第２の収容部８２や筒状部材９３２以外で側面檻状に形成されている部分は、流体を通過させることができればこれに限定されず、例えば、側面網状や側面に孔が形成されていてもよい。
【００４６】
また、上記実施形態において、封鎖弁機構９は仕切部９１から下方に延びる円筒部９４にＯリングを装着し、ケーシング２の流出口２４の内側に部品として嵌め込まれるように形成されていたがこれに限定されず、例えば流出口の内側面や吐水管と一体的に形成されていてもよい。
【００４７】
また、上記実施形態において、封鎖弁機構９はケーシング２の流出口２４の内側に設置されていたが、濾過後の流体が通過する位置に設置されていればこれに限定されず、例えば吐水管内に設置されていてもよい。
【００４８】
また、上記実施形態において、棒状突起３２１を有する濾過体３を備える浄水器１に流体排出装置８及び封鎖弁機構９が設置されていたが、これに限定されず、流体排出装置及び封鎖弁機構をそれぞれ単独で一般的な浄水器に適用することもできる。
【００４９】
また、上記実施形態において、棒状突起３２１は濾過体３の側面に形成されていたが、これに限定されず、例えば、図８に示すように、棒状突起３２１が濾過体３００の底面に形成されていてもよい。このような濾過体３００を用いた浄水器１００の場合、濾過体３００内に流体が流入する前に流体の流れを整える整流手段を備えることが好ましい。例えば、載置部材２１４において濾過体３００の底面が接触する位置に複数の整流孔２１５を形成する。この構成によれば、ケーシング２内に流入した流体はこの整流孔２１５を通過して整流された後に棒状突起３２１を通過するため、流体の流れによって棒状突起３２１の形状が崩れることがなく、棒状突起３２１同士が接触するのを防止することができる。なお、上記のような浄水器１００においては、流体が棒状突起３２１を通過する前に整流することができる整流手段を備えていればよく、例えば、整流孔を有する金属プレートを濾過体の底面に直接取り付けることもできる。また、整流手段を有しない場合であっても、例えば、濾過体内において水平に設置したメッシュ状の支持板に棒状突起の先端部を固定する等、棒状突起の形伏を維持するような手段を備えていれば、棒状突起同士の接触を防止することができる。
【００５０】
また、棒状突起が形成されていなくても、濾過膜に凹凸を設けたり、濾過膜を平面視星形状に支持したりすることにより、濾過面積が拡大されていればよい。例えば、図９及び図１０のように構成することで濾過体の濾過能力を高めることができる。すなわち、図９に示すように、濾過体３０１における支持骨格３０１１は天板３１１及び底板３１２が複数の支柱３１３によって連結されており、各支柱３１３の間には２枚ずつ檻状部材３１５が配置され、この２枚の檻状部材３１５が鋭角を成している。鋭角を成す２枚の檻状部材３１５の間には、図１０に示すように、濾過体３０１の中心に向かって上向きに傾斜する扇状プレート３１６が軸方向に複数設置されている。また、檻状部材３１５の上流側面には複数の矩形状プレート３１７が斜め上向きとなるよう取り付けられている。このような支持骨格３０１１の支柱３１３と檻状部材３１５の間に濾過膜３２が配置され、これにより、濾過膜３２は軸方向に延びる凹状の溝３２２を有するよう支持される。このように、上記濾過体３０１は、濾過膜３２が凹状の溝３２２を有することで濾過面積が拡大されるため、濾過能力を高くすることができる。さらに、支持骨格３０１１が扇状プレート３１６及び矩形状プレート３１７を有しているため、流体が扇状プレート３１６又は矩形状プレート３１７の表面を流れ、濾過体３０１の中心に向かって斜め上向きの流れが生じる。これにより、濾過体３０１の中心部等、濾過後の空間部で流体が正面から衝突するのを防止することができ、濾過体３０１内において流体をスムーズに流れさせることができる。
【００５１】
上記実施形態においては、流体排出装置８の逆流防止部８５として、図２及び図３に示す構造のものを採用しているが、このような構成の他、例えば、図１１に示す構造を採用することもできる。図１１に示す逆流防止部８５は、弁ケーシング９５０、可動部９３、支持体９５１及びストッパ体９５２を備えている。ここで、図１１（ａ）は、逆流防止部８５の概略構成断面図であり、図１１（ｂ）は、その矢視Ｂ方向から見た上面図、図１１（ｃ）は、Ｃ−Ｃ断面図、図１１（ｄ）は、Ｄ−Ｄ断面図である。
【００５２】
弁ケーシング９５０は、下端が開口し、上端が閉塞部（天井部）により閉塞される筒状体であり、その閉塞部中央には、開口９５３が形成されている。この弁ケーシング９５０は、第２の収容部８２内において、内側収容部８３の下に設置されている。可動部９３は、図１１（ａ）及び図１１（ｃ）に示すように、棒状の摺動軸９５４及び当該摺動軸９５４の先端に取り付けられる円板状の第３の弁部材９５５を備えている。第３の弁部材９５５は、弁ケーシング９５０の閉塞部に形成された開口９５３を封鎖できる大きさ・形状を備えている。この第３の弁部材９５５は、磁石単体により、或いは、磁石を内部又は外部に備える樹脂材料等により形成されている。なお、第３の弁部材９５５が弁ケーシング９５０の天井部開口９５３を封鎖した状態で、弁ケーシング９５０の下部開口から摺動軸９５４の一方端が僅かに突き出る長さとなるように摺動軸９５４は形成されている。支持体９５１は、図１１（ａ）及び図１１（ｄ）に示すように、弁ケーシング９５０の下部開口近傍に配置されており、弁ケーシング９５０の内周面から弁ケーシング９５０の内側中心に向けて突き出る複数の棒状体９５６により構成されている。これら複数の棒状体９５６は、弁ケーシング９５０の周方向に沿って所定間隔をあけて配置されている。各棒状体９５６の先端部は、環状部９５９につながっており、当該環状部９５９内に摺動軸９５４が摺動可能に配置されている。ストッパ体９５２は、図１１（ａ）及び図１１（ｃ）に示すように、支持体９５１と弁ケーシング９５０の閉塞部との間に配置されており、中央部に貫通孔９５７ａが形成される円板状の磁石体９５７と、当該磁石体９５７を弁ケーシング９５０内部に固定するための複数の棒状固定部材９５８とを備えている。磁石体９５７に形成される貫通孔９５７ａには、摺動軸９５４が摺動可能に配置されている。複数の棒状固定部材９５８は、それぞれの一方端が弁ケーシング９５０の内周面に接続しており、各棒状固定部材９５８は、弁ケーシング９５０の周方向に沿って所定間隔をあけて配置されている。ここで、磁石体９５７は、磁石単体により形成してもよく、或いは、磁石を内部又は外部に含む樹脂材料等により形成してもよいが、可動部９３における第３の弁部材９５５が備える磁石と互いに反発するように配置される。
【００５３】
次に、図１１に示す逆流防止部８５を有する流体排出装置８の作動について図１２を用いて説明する。まず、電磁弁６を開き、処理する流体を流体供給管５及び流入口２３を介してケーシング２に導く。ケーシング２に流入した流体は、流体排出装置８の栓部材８４１を磁石の反発力に抗して押し下げるとともに補助部材８４２を押し下げるため、ケーシング本体２１の第１の排出口２６は、栓部材８４１によって封鎖される（図１２（ｂ））。このように、流体排出装置８は、補助部材８４２が流体によって押されることにより、ケーシング２内が低水圧であっても初期作動がスムーズであり、ケーシング本体２の第１の排出口２６を確実に封鎖することができる。
【００５４】
ケーシング２内への流体の流入を停止すると、流体排出装置８は以下のように作動する。すなわち、流体排出装置８は、図１２（ｃ）に示すように、ケーシング２内の流体が栓部材８４１を押す力が小さくなることにより、磁石の反発力に従って栓部材８４１が上方へと移動する。これにより、第１の排出口２６が開放され、ケーシング２内の流体が第１の排出口２６より排出される。第１の排出口２６より排出された流体は、第２の収容部８２と内側収容部８３との間を通過し、第１の弁座部材８５１の第２の排出口８５５を介して第３の弁部材９５５を磁石の反発力に抗して押し下げる。これにより、第３の弁部材９５５により封鎖されていた弁ケーシング９５０の上部開口９５３が開き、流体はこの開口９５３から弁ケーシング９５０の内部に導かれる。なお、第３の弁部材９５５は、ストッパ体９５２に当接し、その移動が規制される。内部に導かれた流体は、ストッパ体９５２を構成する複数の棒状固定部材９５８間、支持体９５１を構成する複数の棒状体９５６間を通過し、第３の排出口８２１より排出される。
【００５５】
ケーシング２内の流体が十分に排出されると、流体排出装置８の栓部材８４１は、磁石の反発力に従って上昇する。第３の弁部材９５５は、磁石の反発力に従って上昇し、第３の排出口８２１より排出された流体が逆流しないよう弁ケーシング９５０の上部開口９５３を封鎖する（図１２（ａ））。
【００５６】
また、上記実施形態においては、封鎖弁機構９として、図４及び図５に示す構造のものを採用しているが、このような封鎖弁機構９の代わりに、例えば、上述の図１１に示す構造の逆流防止部８５を利用してもよい。具体的には、図１１に示す逆流防止部８５を上下逆向きに、流出口２４の内側、或いは、吐水管７の内部に嵌め込む。
【００５７】
また、封鎖弁機構９の構造としては、図４及び図５に示す構造の他、例えば、図１３に示す構造を採用してもよい。図１３（ａ）は、封鎖弁機構９の概略構成断面図であり、図１３（ｂ）は、その矢視Ｅ方向から見た上面図である。
【００５８】
図１３に示す封鎖弁機構９は、複数の逆流防止部８５と、各逆流防止部８５を内部に収容する収容体９６０とを備えている。各逆流防止部８５は、図１１に示す逆流防止部８５と同一の構造を備えているが、それぞれ上下逆向きとなるように収容体９６０内に配置されている。収容体９６０は、合成樹脂等により形成された中実円柱部材に、各逆流防止部８５設置用の貫通孔を形成することにより構成されている。各貫通孔は、中実円柱部材の一方端から他方端に向けて形成されており、各貫通孔の直径は、各逆流防止部８５が備える弁ケーシングの外径とフィットする寸法に形成されている。各逆流防止部８５は、接着剤などにより各貫通孔内に固定されている。なお、収容体９６０を円筒状部材により形成してもよい。円筒状部材により収容体９６０を形成する場合、円筒状部材内に各逆流防止部８５を配置した後、合成樹脂等を円筒状部材内に流し込んで固化させ、円筒状部材及び各逆流防止部８５が一体化するように構成する。
【００５９】
次に、図１３に示す封鎖弁機構９の作動について図１４を用いて説明する。  まず、電磁弁６を開き、処理する流体を流体供給管５及び流入口２３を介してケーシング２の収容部２１１に流入させる。収容部２１１に流入した流体は、濾過体３内に流入し、誘導板１１４の孔を通過して流出口２４より流出する。その後、流体は、流出口２４上方の封鎖弁機構９の一方の逆流防止部８５ａにおける可動部９３ａの第３の弁部材９５５ａを押すことで、可動部９３ａを押し上げる（図１４（ｂ））。これにより、第３の弁部材９５５ａにより封鎖されていた弁ケーシング９５０ａの開口９５３ａが開き、流体はこの開口９５３ａから弁ケーシング９５０ａの内部に導かれる。第３の弁部材９５５ａは、ストッパ体９５２ａに当接し、その移動が規制される。内部に導かれた流体は、ストッパ体９５２ａを構成する複数の棒状固定部材９５８ａ間、支持体９５１ａを構成する複数の棒状体９５６ａ間を通過し、吐水管７を通って流出する。
【００６０】
封鎖弁機構９の他方の逆流防止部８５ｂは、一方の逆流防止部８５ａとは上下逆向きに設置されているため、第３の弁部材９５５ｂは、流体に押されて、弁ケーシング９５０ｂの開口９５３ｂを閉塞した状態を維持する。
【００６１】
ケーシング２内への流体の流入を停止すると、封鎖弁機構９における一方の逆流防止部８５ａは、図１４（ｃ）に示すように、ストッパ体９５２ａの磁石体９５７ａとの反発力により、第３の弁部材９５５ａは下端部に移動し、吐水管７より異物が侵入しないように、弁ケーシング９５０ａの開口９５３を封鎖する。
【００６２】
封鎖弁機構９における他方の逆流防止部８５ｂは、図１４（ｃ）に示すように、弁ケーシング９５０ａの開口９５３ａが封鎖されると、流体排出装置８が流体を排出し始めたことでケーシング２内において発生した負圧により、第３の弁部材９５５ｂが下側へ引っ張られて。弁ケーシング９５０ｂの開口９５３ｂが開き、流体はこの開口９５３ｂから弁ケーシング９５０ｂの内部に導かれる。内部に導かれた流体は、ストッパ体９５２ｂを構成する複数の棒状固定部材９５８ｂ間、支持体９５１ｂを構成する複数の棒状体９５６ｂ間を通過し、ケーシング２内に入る。
【００６３】
ケーシング２内の流体が十分に排出されると、封鎖弁機構９の他方の逆流防止部８５ｂにおける第３の弁部材９５５ｂは、磁石の反発力に従って上昇し、吐水管７より異物が侵入しないよう、またケーシング２内にさらに空気が入らないよう弁ケーシング９５０ｂの開口９５３ｂを封鎖する（図１４（ａ）の状態）。
【００６４】
なお、図１３に示す封鎖弁機構９においては、磁石の反発力の代わりに、螺旋状のばね等の反発力を利用してもよい。
【符号の説明】
【００６５】
１、１００  浄水器
２  ケーシング
２３  流入口
２４  流出口
２６  第１の排出口
３、３００、３０１  濾過体
３１、３０１１  支持骨格
３１４  メッシュシート（形状維持シート）
３２  濾過膜
３２１  棒状突起（濾過膜）
３２２  凹状の溝
４  流体案内部材
４１  流路
４２  導入孔
７  吐水管
８  流体排出装置
８１  第１の収容部
８２  第２の収容部
８４１  栓部材
８４２  補助部材
８５４  第１の弁部材
８５１  第１の弁座部材
８５５  第２の排出口
９  封鎖弁機構
９１  仕切部
９１１  第１の通過口
９２  第３の収容部
９３  可動部
９３１  摺動部材
９３７  第２の通過口
９３２  筒伏部材
９３３  収容部材
９３６  第２の弁部材
９３４  第２の弁座部材
９３８  第３の通過口
９５０  弁ケーシング
９５１  支持体
９５２  ストッパ体
９５３  開口
９５４  摺動軸
９５５  第３の弁部材
９５６  棒状体
９５７  磁石体
９５７ａ  貫通孔
９５８  棒状固定部材
９５９  環状部
９６０  収容体
１１  紫外線照射室
１１１  紫外線LED（紫外線光源）
１１４  誘導板
１１６  第３の紫外線反射面
【図１】
2011078967.tif 000003
【図２】
2011078967.tif 000004
【図３】
2011078967.tif 000005
【図４】
2011078967.tif 000006
【図５】
2011078967.tif 000007
【図６】
2011078967.tif 000008
【図７】
2011078967.tif 000009
【図８】
2011078967.tif 000010
【図９】
2011078967.tif 000011
【図１０】
2011078967.tif 000012
【図１１】
2011078967.tif 000013
【図１２】
2011078967.tif 000014
【図１３】
2011078967.tif 000015
【図１４】
2011078967.tif 000016